(57)【要約】【課題】  内容器の交換作業を連続性のある簡単な操作によってスムーズ且つ確実に行うことを可能とするレフィル容器を創出することを課題とする。【解決手段】  内容物を収容する内容器２と、内容器２を収容する外容器３と外容器３の口部３Ａに螺着されるキャップ４と、外容器３の下部位置に設けられて、内容器２を昇降移動させる昇降機構１０と、を有し、昇降機構１０の昇降移動に伴って内容器２を係止し、又はその係止を解除する係止手段が設けられた構成とする。【選択図】  図１
2019011106.tif 000002
【特許請求の範囲】
【請求項１】
内容物を収容する内容器（２）と、前記内容器（２）を収容する外容器（３）と前記外容器（３）の口部（３Ａ）に螺着されるキャップ（４）と、前記外容器（３）の下部位置に設けられて、前記内容器（２）を昇降移動させる昇降機構（１０）と、を有し、
前記昇降機構（１０）の昇降移動に伴って前記内容器（２）を係止し、又はその係止を解除する係止手段が設けられていることを特徴とするレフィル容器。
【請求項２】
昇降機構（１０）は、外容器（３）の下部側の開口端（３Ｂ）に回転可能に設けられた回転底蓋（１１）と、前記回転底蓋（１１）の回転に伴って反転可能に設けられて前記内容器（２）を押し上げ可能な反転部材（１２）と、を有して構成される請求項１記載のレフィル容器。
【請求項３】
回転底蓋（１１）には、雄ネジ（１１ｂ）が刻設された案内筒部（１１Ｃ）が立設され、反転部材（１２）は、前記雄ネジ（１１ｂ）に螺合する雌ネジ（１２ｄ）を有して前記案内筒部（１１Ｃ）に外装された状態でネジ送りされる移動筒部（１２Ｃ）と、ネジ送りされる前記移動筒部（１２Ｃ）の昇降移動に伴って反転する反転板（１２Ｂ）とを備える請求項２記載のレフィル容器。
【請求項４】
係止手段は、内容器（２）の底部（２Ｂ）に垂下設された係止突起（２ｃ）と、反転板（１２Ｂ）に立設され、前記反転板（１２Ｂ）の反転動作に伴って前記係止突起（２ｃ）に係止可能な係止部（１２ｃ）とにより構成される請求項３記載のレフィル容器。
【請求項５】
内容器（２）の底部（２Ｂ）に、移動筒部（１２Ｃ）に当接可能な当接筒（２ｂ）が設けられている請求項３又は４記載のレフィル容器。
【請求項６】
案内筒部（１１Ｃ）に複数の間欠部（１１ｃ）が形成されている請求項３乃至５のいずれか一項に記載のレフィル容器。
【請求項７】
反転板（１２Ｂ）に、複数の貫通孔（１２ｂ）が形成されている請求項３乃至６のいずれか一項に記載のレフィル容器。
【発明の詳細な説明】
【技術分野】
【０００１】
本発明は、外容器の内部に収納された内容器の交換を可能とするジャータイプのレフィル容器に関する。
【背景技術】
【０００２】
従来より、内容物を収容する広口ジャータイプの内容器と、この内容器を交換可能に収納・保持する外容器とで構成され、内容物を使い切った後に、内容器だけを交換して資源の有効利用を図るレフィル容器が開発されている。
【０００３】
特許文献１に記載のレフィル容器では、外容器本体２０の上端部に係合する回動部材３０を回転させると、この回動動作に伴い係合リブ１４を備えた内容器１０も一緒に回転し始め、内容器１０の底部１２の下面に形成された乗り越えリブ１５が、外容器本体２０の底部２２の内周面に突出された乗り越え突部２５を乗り越え、内容器１０が上方に押し上げられることから、外容器Ａから内容器１０を取り外して交換することが可能になるというものである。
【先行技術文献】
【特許文献】
【０００４】
【特許文献１】特開２０１６−１９３７４１号公報
【発明の概要】
【発明が解決しようとする課題】
【０００５】
特許文献１に記載のレフィル容器では、回転部材３０の内周壁部３３ｂに、内容器１０の係合リブ１４と締め係合するエラストマー層３１ｂを設け、回動部材３０の回転によって上方に押し上がった内容器１０が外容器Ａから不用意に抜け出ることを抑制している。このため、内容器１０を外容器Ａから確実に取り出すには、回転部材３０を回転させた後、内容器１０を引き抜く力を加えて係合リブ１４とエラストマー層３１ｂとの締め係合を解除するという段階的な操作が必要になっている。
【０００６】
本発明の目的は、上記課題を解決することであり、段階的な操作を不要とし、内容器の交換作業を連続性のある簡単な操作によってスムーズ且つ確実に行うことを可能とするレフィル容器を創出することを課題とする。
【課題を解決するための手段】
【０００７】
上記課題を解決するための手段のうち、本発明の主たる手段は、
内容物を収容する内容器と、内容器を収容する外容器と外容器の口部に螺着されるキャップと、外容器の下部位置に設けられて、内容器を昇降移動させる昇降機構と、を有し、
昇降機構の昇降移動に伴って内容器を係止し、又はその係止を解除する係止手段が設けられていることを特徴とする、と云うものである。
【０００８】
本発明の主たる手段では、内容器を昇降移動と内容器の係止又はその解除が連続的に行うことを達成し得る。
【０００９】
また本発明の他の手段は、上記手段に、昇降機構は、外容器の下部側の開口端に回転可能に設けられた回転底蓋と、回転底蓋の回転に伴って反転可能に設けられて内容器を押し上げ可能な反転部材と、を有して構成される、との手段を加えたものである。
【００１０】
上記手段では、回転底蓋の回転に伴う反転部材の反転によって内容器を押し上げることを達成し得る。
【００１１】
また本発明の他の手段は、上記手段に、回転底蓋には、雄ネジが刻設された案内筒部が立設され、反転部材は記雄ネジに螺合する雌ネジを有して案内筒部に外装された状態でネジ送りされる移動筒部と、ネジ送りされる移動筒部の昇降移動に伴って反転する反転板とを備える、との手段を加えたものである。
【００１２】
上記手段では、昇降手段を構成する回転底蓋及び反転部材を、具体的且つ簡単な手段で達成し得る。
【００１３】
また本発明の他の手段は、上記手段に、係止手段は、内容器の底部に垂下設された係止突起と、反転板に立設され、反転板の反転動作に伴って係止突起に係止可能な係止部とにより構成される、との手段を加えたものである。
【００１４】
上記手段では、係止手段の一例を具体的且つ簡単に達成し得る。
【００１５】
また本発明の他の手段は、上記手段に、内容器の底部に、移動筒部に当接可能な当接筒が設けられている、との手段を加えたものである。
【００１６】
上記手段では、使用済みの内容器を取り出す時には内容器を持ち上げ、新たな内容器を装着する時には移動筒部を強制的に移動させる機能を達成し得る。
【００１７】
また本発明の他の手段は、上記手段に、案内筒部に複数の間欠部が形成されている、との手段を加えたものである。
【００１８】
上記手段では、案内筒部自体を縮径させ、移動筒部の強制的な移動を達成し得る。
【００１９】
また本発明の他の手段は、上記手段に、反転板に、複数の貫通孔が形成されている、との手段を加えたものである。
【００２０】
上記手段では、反転部材のスムーズな反転動作を達成し得る。
【発明の効果】
【００２１】
本発明では、内容器の取り出し時には、キャップを回転させるだけで内容器を外容器内に係止する係止手段が解除されと共に内容器が持ち上がるという動作が連続的に行われ、また新たな内容器の装着時には、内容器を外容器の下方の底部側に移動させると、これに連動して係止手段が内容器を外容器内に離脱不能に装着することができるため、内容器の交換作業をスムーズ且つ確実に行うことができる。
【図面の簡単な説明】
【００２２】
【図１】本発明の実施例としてのレフィル容器を示し、Ａはレフィル容器の断面図、ＢはＡのｂ−ｂ線における矢視方向断面図である。
【図２】キャップを外し、回転底蓋を回転させる直前の状態を示すレフィル容器の断面図である。
【図３】図３の状態から回転底蓋を回転させた状態を示すレフィル容器の断面図である。
【図４】外容器から内容器を取り出す状態を示すレフィル容器の断面図である。
【図５】新たな内容器を外容器に装着する一例を示すレフィル容器の断面図である。
【図６】新たな内容器が外容器に装着された直後の状態を示すレフィル容器の断面図である。
【図７】新たな内容器を外容器に装着する他の例を示すレフィル容器の断面図である。
【発明を実施するための形態】
【００２３】
以下、本発明の実施の形態について図面を参照しつつ説明する。
図１は本発明の実施例としてのレフィル容器を示し、Ａはレフィル容器の断面図、ＢはＡのｂ−ｂ線における矢視方向断面図、図２はキャップを外し、回転底蓋を回転させる直前の状態を示すレフィル容器の断面図、図３は図３の状態から回転底蓋を回転させた状態を示すレフィル容器の断面図、図４は外容器から内容器を取り出す状態を示すレフィル容器の断面図である。
【００２４】
まずレフィル容器１の構成について説明する。図１に示すように、本発明のレフィル容器１は、主に内容物を収容して交換可能な内容器２と、内容器２を内部に収容する外容器３と、外容器３の口部３Ａを封止するキャップ４と、外容器３の下部位置に設けられて内容器２を上下方向に昇降移動させる昇降機構１０とを有して構成されている。
【００２５】
内容器２は合成樹脂製からなる広口のカップ状容器であり、内容器２の上部開口端２Ａの縁部にはフランジ２ａが周設され、底部２Ｂの下面には円筒状の当接筒２ｂが形成され、その外周側には周状に間欠的に垂下設された複数（本実施例では６ケ）の係止片の先端に係止突起（係止手段）２ｃが形成されている。
【００２６】
外容器３は合成樹脂製で形成され、上端及び下端が開口する円筒状の部材である。口部３Ａの外周面には上段差部が形成され、この上段差部にはキャップ４を螺合するための雄ネジ３ａが刻設されている。また下部側の開口端３Ｂの外周面には下段差部が形成されており、この下段差部には円環状凸部３ｂが周設されている。
【００２７】
キャップ４は円盤状の頂壁４Ａの外周縁に側壁４Ｂが垂下設された有頂短筒状から成る合成樹脂製の部材であり、側壁４Ｂの内周面には雌ネジ４ａが形成されている。この雌ネジ４ａを外容器３の口部３Ａに形成された雄ネジ３ａに螺合させることにより、キャップ４は外容器３の口部３Ａに螺着される。尚、頂壁４Ａの下面にはパッキン５が設けられている。
【００２８】
昇降機構１０は、合成樹脂製から成る回転底蓋１１及び反転部材１２を有して構成されている。
回転底蓋１１は、円盤状の底壁１１Ａの外周縁に側壁１１Ｂが立設された有底短筒状から成る部材である。側壁１１Ｂの内周面には円環状又は周方向に間欠的に形成されて成る係合凸部１１ａが周設されている。この係合凸部１１ａを外容器３側の円環状凸部３ｂに係合させることにより、回転底蓋１１は外容器３の下部側の開口端３Ｂに対して回転可能に取り付けられている。また底壁１１Ａの内面中央の位置には円筒状の案内筒部１１Ｃが立設され、この案内筒部１１Ｃの外周面には雄ネジ１１ｂが刻設されている。図１Ｂに示すように、案内筒部１１Ｃには縦方向に切り欠かれた複数（実施例では４ヶ）の間欠部１１ｃが周方向に形成されており、案内筒部１１Ｃは半径方向に縮径変形することが可能となっている。
【００２９】
図１Ａに示すように、反転部材１２は、外容器３の下部側の開口端３Ｂ側の内周面に対して不動状態で組み付く円筒状から成る脚部１２Ａと、この脚部１２Ａの内周面に連結された略円盤状から成る反転板１２Ｂと、反転板１２Ｂの中央に貫通形成された移動筒部１２Ｃとを有して形成されている。反転板１２Ｂは脚部１２Ａの内周面との連結部１２ａを支点として上下方向に反転変形可能に形成され、また反転板１２Ｂの複数の箇所（本実施例では６ケ）には、略扇形状に開口する貫通孔１２ｂ（図１Ｂ参照）が形成されおり、反転板１２Ｂの反転動作をスムーズに行うことが可能となっている。更に反転板１２Ｂの上面には上方に延びる複数（本実施例では６ケ）の係止部（係止手段）１２ｃが周方向に間欠的に立設されている。この係止部１２ｃは内容器２の底部２Ｂの下面に配置された複数の係止突起２ｃと夫々係止し合うことが可能となっている。一方、移動筒部１２Ｃの内周面には、案内筒部１１Ｃの雄ネジ１１ｂに螺合することが可能な雌ネジ１２ｄが刻設されている。そして、この雌ネジ１２ｄと雄ネジ１１ｂとが螺合した状態で回転底蓋１１が回転することにより、移動筒部１２Ｃが案内筒部１１Ｃに案内され、容器軸Ｏに沿ってネジ送りされる構成である。
【００３０】
図１に示すように、内容器２が外容器３内に装着された状態では、昇降機構１０を構成する移動筒部１２Ｃは下方に位置しており、反転部材１２の反転板１２Ｂは正方向に反転した状態（下に向かって凸状態）にある。そして、反転部材１２側の係止部１２ｃと内容器２側の係止突起２ｃとが係止し合う係止状態にあるため、内容器２は外容器３から離脱不能となっている。
【００３１】
次に、レフィルム容器における内容器の交換について、最初に使用済みの内容器２を外容器３内から取り出す作業について説明する。
【００３２】
図２に示すように、まずキャップ４を回し、外容器３の口部３Ａから取り外して内容器２を露出させる。次に、回転底蓋１１を回転させ、案内筒部１１Ｃの雄ネジ１１ｂと移動筒部１２Ｃの雌ネジ１２ｄとによるネジ送り作用により、移動筒部１２Ｃを上方に移動させる。
図３に示すように、移動筒部１２Ｃが上方に移動すると、その動きに伴って反転部材１２を構成する反転板１２Ｂが連結部１２ａを支点として逆方向に反転する（上に向かって凸状態）。反転板１２Ｂが逆方向に反転すると、係止部１２ｃが径方向外側に向かって開くため、反転部材１２側の係止部１２ｃと内容器２側の係止突起２ｃとが係止状態が解除される。
同時に、上方に移動する移動筒部１２Ｃの上端が、当接筒２ｂの下端に当接すると共に、そのまま当接筒２ｂを押し上げて内容器２を上方に移動させる。これにより、内容器２が持ち上げられ、フランジ２ａが外容器３の口部３Ａから浮き上がる。よって、図４に示すように内容器２を引き上げることにより容易に取り出すことができる。このように、本発明では、キャップ４を回転させるだけで、外容器３内における内容器２の係止解除と、内容器２の持ち上げとが連続的に行われるので、内容器２の交換作業をスムーズ且つ確実に行うことが可能となっている。
【００３３】
続いて、新たな内容器２を外容器３内に装着する作業について説明する。
図５は新たな内容器を外容器に装着する一例を示すレフィル容器の断面図、図６は新たな内容器が外容器に装着された直後の状態を示すレフィル容器の断面図、図７は新たな内容器を外容器に装着する他の例を示すレフィル容器の断面図である。
図５の例に示すように、新たな内容器２を底部２Ｂ側から口部３Ａを介して外容器３内に装填する。更に内容器２を下方に向かって移動させると、その途中で、内容器２の底部２Ｂの下面に設けられた当接部２ｂが、反転部材１２の移動筒部１２Ｃの上端に当接する。
【００３４】
ここで、移動筒部１２Ｃの雌ネジ１２ｄは、案内筒部１１Ｃの雄ネジ１１ｂに螺合しているため、螺合している部分に移動筒部１２Ｃの移動を妨げる抵抗力が作用する。しかし、案内筒部１１Ｃには複数の間欠部１１ｃが形成されているため、内容器２を介して移動筒部１２Ｃを強制的に押し込むことにより、雄ネジ１１ｂに作用した抵抗力によって案内筒部１１Ｃを容器軸Ｏ方向に向かって僅かに縮径変形させることができる。これにより、移動筒部１２Ｃ側の雌ネジ１２ｄは案内筒部１１Ｃ側の雄ネジ１１ｂを下方に向かって乗り越えることが可能となるため、移動筒部１２Ｃ、ひいては内容器２を下方に移動させることができる。
【００３５】
また移動筒部１２Ｃの下方への移動に伴い、図６に示すように、反転部材１２の反転板１２Ｂが連結部１２ａを支点として正方向に反転して元の状態（下に向かって凸状態）に復帰する。この際、反転板１２Ｂに立設されている係止部１２ｃが径方向内側に向かって閉じるため、係止部１２ｃが内容器２の係止突起２ｃを再び係止する係止状態となり、内容器２を外容器３内に離脱不能な状態で装着することができる。最後にキャップ４を外容器３の口部３Ａに螺着し、内容器２の交換作業が完了する。
【００３６】
また新たな内容器２を外容器３内に装着する作業は、以下の図７に示すものであっても良い。
図７の他の例では、新たな内容器２を外容器３内に装填する際、キャップ４を内容器２の上部開口端２Ａに装着した状態で行う。すなわち、内容器２に装着したキャップ４を回転させて外容器３側の雄ネジ３ａにキャップ４側の雌ネジ４ａを螺着させる。内容器２はキャップ４に押されて下方に向かって移動するため、内容器２の底部２Ｂの下面に設けられた当接部２ｂが反転部材１２の移動筒部１２Ｃの上端に当接する。よって、内容器２を外容器３に直接押し込む上記図５の例同様に、更にキャップ４を回転させ、内容器２を介して移動筒部１２Ｃを強制的に押し込むことにより、新たな内容器２を外容器３内に離脱不能な状態で装着することができる。
【００３７】
以上のように、本発明では、外容器３内に装填した内容器２を外容器３の下方の底部側（下端側の開口端３Ｂ側）に移動させるという簡単な操作を行うだけで、係止手段（係止突起２ｃ及び係止部１２ｃ）が連動して内容器２が離脱不能な状態で簡単に装着されるため、この点においても内容器２の交換作業をスムーズ且つ確実に行うことができる。
【００３８】
以上、実施例に沿って本発明の構成とその作用効果について説明したが、本発明の実施の形態は上記実施例に限定されるものではない。
例えば、上記実施例では、新たな内容器２を外容器３内に、直接又はキャップ４を介して強制的に押し込むことで係止状態に設定される場合を示して説明したが、本発明は上記実施例に限定されるものではなく、上述の使用済みの内容器２を外容器３内から取り出す操作とは逆の操作（回転底蓋１１を逆方向に回転させて昇降機構１０を下降させる操作）を行うことにより、外容器３内に新たな内容器２を係止させても良い。すなわち、回転底蓋１１を逆方向に回転させると、移動筒部１２Ｃが下方にネジ送りされて反転部材１２の反転板１２Ｂが正方向（下に向かって凸状態）に反転する。この時、係止手段を構成する係止突起２ｃと係止部１２ｃとが係止すると共に、移動筒部１２Ｃの下方への移動に伴って内容器２が下方に引き込まれるため、上記同様に内容器２を外容器３内にスムーズ且つ確実に装着することが可能である。
【００３９】
また上記実施例では、反転板１２Ｂに略扇形状の貫通孔１２ｂを形成することで反転板１２Ｂの反転がスムーズに行われる構成を示して説明したが、その他例えば反転板１２Ｂの表面と裏面の一方又は双方に環状又は周方向に間欠的から成る複数の肉薄部を配置することで反転動作がスムーズに行われる構成としても良い。
【産業上の利用可能性】
【００４０】
本発明は、内容器の交換作業の容易化を望むレフィル容器の分野における用途展開を更に広い領域で図ることができる。
【符号の説明】
【００４１】
１    ：  レフィル容器
２    ：  内容器
２Ａ  ：  上部開口端
２Ｂ  ：  底部
２ａ  ：  フランジ
２ｂ  ：  当接筒
２ｃ  ：  係止突起（係止手段）
３    ：  外容器
３Ａ  ：  口部
３Ｂ  ：  下部側の開口端
３ａ  ：  雄ネジ
３ｂ  ：  円環状凸部
４    ：  キャップ
４Ａ  ：  頂壁
４Ｂ  ：  側壁
４ａ  ：  雌ネジ
５    ：  パッキン
１０  ：  昇降機構
１１  ：  回転底蓋（昇降機構）
１１Ａ：  底壁
１１Ｂ：  側壁
１１Ｃ：  案内筒部
１１ａ：  係合凸部
１１ｂ：  雄ネジ
１１ｃ：  間欠部
１２  ：  反転部材（昇降機構）
１２Ａ：  脚部
１２Ｂ：  反転板
１２Ｃ：  移動筒部
１２ａ：  連結部
１２ｂ：  貫通孔
１２ｃ：  係止部（係止手段）
１２ｄ：  雌ネジ
Ｏ    ：  容器軸
【図１】
2019011106.tif 000003
【図２】
2019011106.tif 000004
【図３】
2019011106.tif 000005
【図４】
2019011106.tif 000006
【図５】
2019011106.tif 000007
【図６】
2019011106.tif 000008
【図７】
2019011106.tif 000009